(57)【特許請求の範囲】
【請求項１】
扱室の上部を形成するとともに扱胴を回転自在に支持してある上部構造体と、前記扱室の下部を形成する下部構造体とを、前記扱胴の回転軸芯と略平行な揺動軸芯周りで揺動自在に連結して、前記扱室を開閉自在に設け、
前記扱胴の外周側に沿って湾曲する受け網をその扱胴の外周に沿うように載置可能な受け網載置部を前記下部構造体に設け、
前記扱室を開放した状態で前記受け網載置部に載置した受け網を、前記扱室を閉じるべく前記下部構造体に向けて揺動させた上部構造体の押圧部で受け網の扱胴回転方向下手側箇所を周方向に押圧して、前記受け網を固定するように構成してあるコンバインの受け網固定構造であって、
前記受け網側と下部構造体側に、被係合部材と該被係合部材に対して係合する係合部材を固定してなる係合部を設け、この係合部を、前記扱室を閉じるべく前記上部構造体を前記下部構造体に向けて揺動させて前記上部構造体の押圧部で受け網の扱胴回転方向下手側箇所を周方向に押圧するに伴って、前記係合部材が被係合部材に係合して、被係合部材に対する係合部材の係合深さが深くなるほど、前記受け網に扱胴径方向外方側に向かう力を作用させる係合部にしてあるコンバインの受け網固定構造。
【発明の詳細な説明】
【０００１】
【発明の属する技術分野】
本発明は、扱室の上部を形成するとともに扱胴を回転自在に支持してある上部構造体と、前記扱室の下部を形成する下部構造体とを、前記扱胴の回転軸芯と略平行な揺動軸芯周りで揺動自在に連結して、前記扱室を開閉自在に設け、前記扱胴の外周側に沿って湾曲する受け網をその扱胴の外周に沿うように載置可能な受け網載置部を前記下部構造体に設け、前記扱室を開放した状態で前記受け網載置部に載置した受け網を、前記扱室を閉じるべく前記下部構造体に向けて揺動させた上部構造体の押圧部で受け網の扱胴回転方向下手側箇所を周方向に押圧して、前記受け網を固定するように構成してあるコンバインの受け網固定構造に関する。
【０００２】
【従来の技術】
上記コンバインの受け網固定構造は、扱室を開放した状態で受け網載置部に載置した受け網を、扱室を閉じるべく上部構造体を下部構造体に向けて揺動させる動作で簡便に固定できるようにしたものであり、従来、受け網載置部に載置した受け網の周方向端面を上部構造体で周方向に押圧して、受け網を固定するように構成している。
【０００３】
【発明が解決しようとする課題】
このため、受け網の受け網載置部への載置状態によっては、受け網が正規の位置よりも扱胴側に浮き上がったまま固定されてしまうことがあり、この場合は、受け網と扱胴とのクリアランスが不足して、受け網が搬送穀稈との摺接で摩耗し易いとともに、搬送穀稈が詰まり易い欠点がある。
【０００４】
本発明は上記実情に鑑みてなされたものであって、受け網を扱胴側に浮き上がらないように固定できるようにすることを目的とする。
【０００５】
【課題を解決するための手段】
請求項１記載の発明の特徴構成は、扱室の上部を形成するとともに扱胴を回転自在に支持してある上部構造体と、前記扱室の下部を形成する下部構造体とを、前記扱胴の回転軸芯と略平行な揺動軸芯周りで揺動自在に連結して、前記扱室を開閉自在に設け、前記扱胴の外周側に沿って湾曲する受け網をその扱胴の外周に沿うように載置可能な受け網載置部を前記下部構造体に設け、前記扱室を開放した状態で前記受け網載置部に載置した受け網を、前記扱室を閉じるべく前記下部構造体に向けて揺動させた上部構造体の押圧部で受け網の扱胴回転方向下手側箇所を周方向に押圧して、前記受け網を固定するように構成してあるコンバインの受け網固定構造であって、前記受け網側と下部構造体側に、被係合部材と該被係合部材に対して係合する係合部材を固定してなる係合部を設け、この係合部を、前記扱室を閉じるべく前記上部構造体を前記下部構造体に向けて揺動させて前記上部構造体の押圧部で受け網の扱胴回転方向下手側箇所を周方向に押圧するに伴って、前記係合部材が被係合部材に係合して、被係合部材に対する係合部材の係合深さが深くなるほど、前記受け網に扱胴径方向外方側に向かう力を作用させる係合部にしてある点にある。
【０００６】
〔作用〕
扱室を閉じるべく上部構造体を下部構造体に向けて揺動させて上部構造体の押圧部で受け網の扱胴回転方向下手側箇所を周方向に押圧するに伴って、被係合部材に対して係合部材が係合して、被係合部材に対する係合部材の係合深さが深くなるほど、受け網が扱胴側に浮き上がらないように、受け網に扱胴径方向外方側に向かう力を作用させることができる。
【０００７】
〔効果〕
受け網に扱胴径方向外方側に向かう力を作用させて、受け網が扱胴側に浮き上がらないように固定できる。
【０００８】
【発明の実施の形態】
以下に本発明の実施の形態を図面に基づいて説明する。
図１は、自脱型コンバインに搭載される脱穀装置を示し、刈取穀稈を横向き姿勢で挾持搬送するフィードチェーン１、機体前後向きの回転軸芯Ｘ周りで正面視時計回り方向（右回り) に回転してフィードチェーン１で挾持搬送される刈取穀稈の穂先側に対して脱穀処理を施す扱胴２、脱穀処理で得られた処理物を漏下させる樹脂製の受け網３、受け網３から漏下しなかった処理物を落下させる送塵口４、受け網３を漏下した処理物と送塵口４から落下した処理物に対してクランク機構５による揺動駆動で篩い選別処理を施す揺動選別装置６、揺動選別装置６に向けて選別風を供給する唐箕７、揺動選別装置６の前部側から漏下する単粒化穀粒（枝梗などが取り除かれたもの) を回収する一番物回収部８、揺動選別装置６の後部側から漏下する未単粒化穀粒（枝梗などが取り除かれていないもの) などを回収する二番物回収部９、及び、切れワラやワラ屑などを機外に排出する排塵ファン１０などを設けてある。
【０００９】
前記一番物回収部８の底部には、回収した単粒化穀粒を脱穀装置の右外方に搬出する一番スクリュー８Ａが配備され、一番スクリュー８Ａの右端には、一番スクリュー８Ａで搬出された単粒化穀粒を図外の穀粒タンクの穀粒受入口に向けて揚送する揚送スクリュー１１が連設されている。
【００１０】
前記二番物回収部９の底部には、回収した未単粒化穀粒を右外方に搬出する二番スクリュー９Ａが配備され、二番スクリュー９Ａの右端には、二番スクリュー９Ａで搬出された未単粒化穀粒に再脱穀処理を施して揺動選別装置６の前部側に還元する二番還元装置１２が連設されている。
【００１１】
そして、図２，図３に示すように、扱室１３の下部を形成するとともにフィードチェーン１や受け網載置部１６，揺動選別装置６などを設けてある下部ケース（下部構造体) １４と、扱室１３の上部を形成するとともに扱胴２を回転自在に支持してある上部ケース（上部構造体) １５とを、扱胴２の回転軸芯Ｘと略平行な揺動軸芯Ｙ周りで揺動自在に連結して、扱室１３を開閉自在に設け、上部ケース１５を下部ケース１４に対して上昇揺動させて扱室１３を開放した状態で、受け網３を受け網載置部１６に着脱できるようになっている。
【００１２】
前記受け網３は、扱胴２の外周側に沿って湾曲する円弧面状に形成してあり、扱胴回転方向上手側に配設する上手側受け網部分３Ａと、扱胴回転方向下手側に配設する下手側受け網部分３Ｂとの二個に分割して、樹脂で格子状に成形してある。
【００１３】
前記受け網載置部１６は、上手側受け網部分３Ａ及び下手側受け網部分３Ｂの円弧状端部１７を受け止める円弧状の受け網ガイド１８を扱胴２の前後両下方に設けるとともに、上手側受け網部分３Ａの扱胴回転方向上手側端部１９をその周方向位置を位置決めする状態で受け止める段部２０を下部ケース１４に形成し、上手側受け網部分３Ａと下手側受け網部分３Ｂの互いに隣接する端部を受け止め支持する角パイプ材などからなる支持部材２１を前後の受け網ガイド１８に亘って架設して、上手側受け網部分３Ａと下手側受け網部分３Ｂとを周方向で隣接させた状態で、扱胴回転方向下手側寄りで扱胴２の外周に沿うように載置可能に設けてある。
【００１４】
そして、扱室１３を開放した状態で上手側受け網部分３Ａと下手側受け網部分３Ｂとを受け網載置部１６に載置して、扱室１３を閉じるべく下部ケース１４に向けて揺動させた上部ケース１５の押圧部１５ａで下手側受け網部分３Ｂの扱胴回転方向下手側端面２２を周方向に押圧して、上手側受け網部分３Ａと下手側受け網部分３Ｂとを固定するように構成し、図４に示すように、上部ケース１５を下部ケース１４に向けて揺動させるに伴って、下手側受け網部分３Ｂの周方向中間位置に扱胴径方向外方側に向かう力Ｆを作用させる係合部２３を、下手側受け網部分３Ｂの前後（複数箇所) に設けてある。
【００１５】
前記係合部２３は、下手側受け網部分３Ｂの前後の各円弧状端部１７を補強しているフレーム２４の長手方向中間位置にガイド部材２５を外周側に突出するように接着固定して、下手側受け網部分３Ｂを受け網載置部１６に載置した状態で、扱胴径方向外方側ほど低くなるように傾斜する傾斜ガイド面２６を扱胴径方向外方側に突出するように設けるとともに、その傾斜ガイド面２６を上方側から押し付ける丸軸部材２７を下部ケース１４側に横向きに固定して構成してある。
【００１６】
そして、図４（イ) に示すように、傾斜ガイド面２６が丸軸部材２７に軽く引っ掛かるように下手側受け網部分３Ｂを上手側受け網部分３Ａと共に受け網載置部１６に載置しておいて、図４（ロ) に示すように、上部ケース１５を下部ケース１４に向けて揺動させるに伴って、下手側受け網部分３Ｂが周方向に押圧されると、傾斜ガイド面２６が丸軸部材２７に対して摺動しながら深く係合して、ガイド部材２５が扱胴径方向外方側に押し出され、下手側受け網部分３Ｂに扱胴径方向外方側に向かう力Ｆが作用するように構成してある。
【００１７】
〔その他の実施形態〕
１．本発明によるコンバインの受け網固定構造は、扱胴の外周側に沿って一体の受け網を受け網載置部に載置するように構成してあっても良い。
【図面の簡単な説明】
【図１】  脱穀装置の縦断側面図
【図２】  脱穀装置上部の横断正面図
【図３】  扱室の開放状態を示す脱穀装置上部の横断正面図
【図４】  係合部を示す要部正面図
【符号の説明】
２      扱胴
３      受け網
１３    扱室
１４    下部構造体
１５    上部構造体
１５ａ  押圧部
１６    受け網載置部
２３    係合部
Ｆ      力
Ｘ      回転軸芯
Ｙ      揺動軸芯
【図１】
0003739330.tif 000002
【図２】
0003739330.tif 000003
【図３】
0003739330.tif 000004
【図４】
0003739330.tif 000005